(57)【要約】【課題】ルーバーの取り付け及び取り外しが筐体の一方側から行える構造にすること。【解決手段】筐体の取付穴に嵌め込まれるベース２と、ベース２に取り付けられるルーバー本体３と、ベース２に備えられた爪部２１と、を備え、ルーバー本体３をベース２に取り付けることで、爪部２１が外方に向けて弾性変形する構成とする。【選択図】図１
2018201001.tif 000002
【特許請求の範囲】
【請求項１】
筐体の取付穴に嵌め込まれるベースと、ベースに取り付けられるルーバー本体と、ベースに備えられた爪部と、を備え、前記爪部は、ルーバー本体をベースに取り付けることで、外方に向けて弾性変形する電気機器収納箱用ルーバー。
【請求項２】
ベース部は爪部と異なる位置に凹部を備え、ルーバー本体は前記凹部と対応する位置に凸部を備え、前記凸部が前記凹部に嵌った状態でルーバー本体がベースに取り付けられる請求項１に記載の電気機器収納箱用ルーバー。
【請求項３】
爪部は取付穴の端縁と対向する位置に段部を備えた請求項１又は２に記載の電気機器収納箱用ルーバー。
【請求項４】
爪部を複数設け、少なくとも一つの爪部が他の爪部の段部と異なる形状の段部である請求項３に記載の電気機器収納箱用ルーバー。
【発明の詳細な説明】
【技術分野】
【０００１】
本発明は、筐体に取り付けられる電気機器収納箱用ルーバーに関するものである。
【背景技術】
【０００２】
筐体の側面に対してルーバーを取り付けることが知られている。一般的に、ルーバーは雄ねじを備えた部材と雌ねじを備えた部材からなる構成としており、互いの部材によって筐体の側面を挟み込むようにして取り付ける。この際、筐体の内側と外側に作業員を配置する必要があり、一人で作業をすることはできない。そこで、特許文献１には、ルーバーの取り付け作業を一人でできるようにした技術が開示されている。特許文献１では、側部に爪部を設けた丸型ルーバーを筐体の外側から差し入れ、爪部で取付穴の端縁に引掛けた後、ルーバーのネジ溝に固定具を螺合させて固定することが開示されている。
【先行技術文献】
【特許文献】
【０００３】
【特許文献１】特開２００２−２４３２２８号公報
【０００４】
ところで、ルーバーは取り外すこともある。しかしながら特許文献１に記載の技術では、取付穴の端縁に引掛けた爪部を筐体の内側から外さなければならなかった。したがって、二人作業で行うか、筐体の内側で行う作業と筐体の外側で行う作業の双方を一人で行わなければならなかった。また、筐体内に電気機器などが設置されている状態では、筐体の内側でルーバーの取り外し作業をすることが困難な場合もあった。このように、従来のルーバーは、一人で簡単に取り外せるようなものではなかった。
【発明の概要】
【発明が解決しようとする課題】
【０００５】
本件の発明者は、この点について鋭意検討することにより、解決を試みた。本発明の課題は、ルーバーの取り付け及び取り外しが筐体の一方側から行える構造にすることである。
【課題を解決するための手段】
【０００６】
上記課題を解決するため、筐体の取付穴に嵌め込まれるベースと、ベースに取り付けられるルーバー本体と、ベースに備えられた爪部と、を備え、前記爪部は、ルーバー本体をベースに取り付けることで、外方に向けて弾性変形する電気機器収納箱用ルーバーとする。
【０００７】
また、ベース部は爪部と異なる位置に凹部を備え、ルーバー本体は前記凹部と対応する位置に凸部を備え、前記凸部が前記凹部に嵌った状態でルーバー本体がベースに取り付けられる構成とすることが好ましい。
【０００８】
また、爪部は取付穴の端縁と対向する位置に段部を備えた構成とすることが好ましい。
【０００９】
また、爪部を複数設け、少なくとも一つの爪部が他の爪部の段部と異なる形状の段部とすることが好ましい。
【発明の効果】
【００１０】
本発明では、ルーバーの取り付け及び取り外しが筐体の一方側から行える構造にすることが可能となる。
【図面の簡単な説明】
【００１１】
【図１】実施形態のルーバーを正面側から見た分解斜視図である。
【図２】実施形態のルーバーを背面側から見た分解斜視図である。
【図３】ルーバーを筐体に取り付けた状態を表した断面図である。
【図４】筐体にベースを取りつけた状態を示した概略図である。
【図５】筐体に取り付けたベースに対してルーバー本体を差し込む直前の状態を示した概略図である。
【図６】筐体に取り付けたベースに対してルーバー本体を差し込んだ状態を示した概略図である。
【図７】実施形態のルーバーを背面側から見た斜視図である。
【図８】図７の凹部周りを拡大した部分拡大図である。
【図９】ルーバーの正面図である。
【図１０】ルーバーを二分割した状態を示した斜視図である。
【図１１】図１０の段部周りの部分拡大図である。
【図１２】ルーバーが筐体に固定された状態を表した図である。
【図１３】ルーバーの背面図である。
【図１４】段部周りを側方から見た部分拡大図である。
【図１５】取付穴とベースとルーバー本体を表した図である。
【図１６】取付穴に嵌め込まれたベースとルーバー本体を表した図である。
【図１７】取付穴に取り付けられたルーバーを表した図である。
【発明を実施するための形態】
【００１２】
以下に発明を実施するための形態を示す。図１乃至図３に示されていることから理解されるように、実施形態のルーバー１は、筐体９の取付穴９１に嵌め込まれるベース２と、ベース２に取り付けられるルーバー本体３と、ベース２に備えられた爪部２１と、を備えている。また、図１乃至図６に示されていることから理解されるように、ルーバー本体３をベース２に取り付けることで、爪部２１が外方に向けて弾性変形する。このため、差し込んだ方向とは逆方向に移動させてルーバー本体３を取り外せば弾性変形していた爪部２１は元の位置に復元する。したがって、ルーバー本体３は、差し込んだ方向とは逆方向に移動させれば、筐体９から取り外すことができる。よって、ルーバー１の取り付け及び取り外しが筐体９の一方側から行える構造にすることが可能となる。
【００１３】
ここで、実施形態のルーバー１の概略を説明する。実施形態のルーバー１は、ベース２とルーバー本体３とを組み合わせて構成される。ルーバー１は電気機器収納用箱などの筐体９に取り付けられるものである。また、この際、筐体９に設けられた取付穴９１に嵌められるものである。
【００１４】
実施形態のベース２は取付穴９１の周りに位置する押さえ部２２を備えている。ベース２は開口２３を備えた形状であるため、この押さえ部２２は枠状に設けられている。また、押さえ部２２には、背面側に延びる爪部２１が設けられている。また、押さえ部２２には、背面側に延びる壁部２４も設けられている。ルーバー本体３がベース２に組み付けられていない場合、実施形態の爪部２１の一部が、壁部２４の内側面よりも内方に位置するように構成されている。
【００１５】
実施形態のルーバー本体３は羽板３１を備えている。また、ルーバー本体３は押さえ部２２と重ねられる枠部３２を備えている。この枠部３２の背面側には、ベース２に設けられた開口２３に差し込まれる差し込み部３３を備えている。実施形態の差し込み部３３は筒状に設けられており、ベース２の開口２３に差し込まれた際に、ベース２に備えられた爪部２１を外方に向けて弾性変形させる部位である。なお、差し込み部３３の外径は、壁部２４の内径と略同じとしているが、ルーバー本体３の取り付け取り外しをスムーズに行うことができるように、若干の差異を設けている。
【００１６】
図７及び図８に示す例では、ベース２は爪部２１と異なる位置に凹部２５を備えている。より詳しくは、爪部２１と爪部２１の間に位置する壁部２４に凹部２５を備えている。また、ルーバー本体３は凹部２５と対応する位置に凸部３４を備えている。実施形態の凸部３４は、差し込み部３３の外方に突出したものである。この凸部３４が凹部２５に嵌った状態となるように、ルーバー本体３がベース２に取り付けられる。凸部３４が凹部２５に嵌められた状態となると、ルーバー本体３の位置ずれが抑制される。
【００１７】
図９に示されていることから理解されるように、実施形態のルーバー本体３は、円状の枠部３２から外方に突出したつまみ部３５を備えている。このつまみ部３５は、ベース２の押さえ部２２の正面側に設けた切り欠き部２６に収められる部位である。実施形態のベース２は、ルーバー本体３がベース２に取り付けられた状態においても、切り欠き部２６とつまみ部３５の間に隙間が生じるように構成されている。この隙間に爪などを挿入してつまみ部３５に力をかけることで、ルーバー本体３をベース２から取り外すことができる。
【００１８】
実施形態のルーバー１は、爪部２１を外方向に移動させることで、筐体９の取付穴９１に固定されるが、筐体９の壁の厚さは、金属板の寸法誤差や塗装の厚みの違いなどにより、一定の厚みになるとは限らない。そこで、図１０乃至図１４に示す例では、爪部２１は、取付穴９１の端縁と対向する位置に段部２７を備えた構成としている。より詳しくは、爪部２１の中でも、押さえ部２２と対向する傾斜面に段部２７を備えた構成としている。取付穴９１の端縁と対向する位置に段部２７を設けることにより、筐体９の壁の厚さに対応しやすくなり、適切な状態で固定されやすくなる。
【００１９】
爪部２１に設ける段部２７は、全ての爪部２１に同様な段部２７を備えた構成としても良いが、複数設けた爪部２１のうちの少なくとも一つが他の爪部２１の段部２７と異なる形状とすることも可能である。図１３に示す例においては、爪部２１の半数が他の爪部２１と異なるように設けられている。より詳しくは、同一円上に配置された六つの爪部２１に対して、二種類の段部２７が交互に位置するように設けられている。また、段部２７は、その頂の位置と押さえ部２２との距離Ｌが異なる二種類としている。二種類の段部２７は互いに異なる位置で筐体９に引っ掛かることができるため、一種類の段部２７だけで構成した場合よりも、筐体９の壁の厚さに対応できる幅が広がる。
【００２０】
次に、ルーバー１を筐体９に取り付ける方法について説明する。図１５に示すように円形の取付穴９１が設けられた筐体９に対して、図１６に示すように、筐体９の外側からベース２を取付穴９１に嵌め込む。この状態においては、爪部２１が外方に変形していない状態であるため、ベース２は、スムーズに取り付けることができる。
【００２１】
次に、図１７に示すように、筐体９の外側から、ルーバー本体３をベース２に嵌め込む。これにより図４乃至図６に示すように、爪部２１が外方に押し広げられるように変形する。爪部２１が外方に向けて移動することにより、爪部２１が取付穴９１の端縁に引っ掛かることになり、筐体９からベース２が抜け落ちることを回避できる。
【００２２】
この際、ベース２に設けられた凹部２５に対して、ルーバー本体３に設けられた凸部３４が嵌め込まれるため、ルーバー本体３がベース２から抜け落ちることが抑制される。
【００２３】
次に、ルーバー１を筐体９から取り外す方法について説明する。先ずつまみ部３５に対して力をかけ、ルーバー本体３を筐体９の外側に向けてずらす。この状態になれば、ルーバー本体３をベース２から抜き出すことができる。ルーバー本体３が取り外されたベース２は、爪部２１が元の位置に復元するため、筐体９の外側に向けて引っ張るだけで取り外すことができる。このように、実施形態では筐体９の外側からルーバー１の取り付けと取り外しの双方を行うことができる。
【００２４】
以上、一つの実施形態を中心に説明してきたが、本発明は上記実施形態に限定されることはなく、各種の態様とすることが可能である。例えば、丸型のルーバーでなく、角型のルーバーとすることも可能である。
【００２５】
ルーバーの取り付け取り外しの作業は、筐体の外側でするものではなく、内側でするものとしても良い。
【符号の説明】
【００２６】
１  ルーバー
９  筐体
２  ベース
３  ルーバー本体
２１  爪部
２５  凹部
２７  段部
３４  凸部
９１  取付穴
【図１】
2018201001.tif 000003
【図２】
2018201001.tif 000004
【図３】
2018201001.tif 000005
【図４】
2018201001.tif 000006
【図５】
2018201001.tif 000007
【図６】
2018201001.tif 000008
【図７】
2018201001.tif 000009
【図８】
2018201001.tif 000010
【図９】
2018201001.tif 000011
【図１０】
2018201001.tif 000012
【図１１】
2018201001.tif 000013
【図１２】
2018201001.tif 000014
【図１３】
2018201001.tif 000015
【図１４】
2018201001.tif 000016
【図１５】
2018201001.tif 000017
【図１６】
2018201001.tif 000018
【図１７】
2018201001.tif 000019